(57)【要約】      （修正有）【課題】クラブのフィッティング作業をより有効にし、クラブヘッド寿命を延ばし、ゴルフラウンド用のクラブの選択肢が多いゴルフクラブヘッドを提供する。【解決手段】ゴルフクラブヘッド１００は主部１２６と副部１２８とを含み、副部は回転自在あるいは軸回転可能に主部の後表面１４０に連なる。副部は主部に対して第一定位と第二定位との間で調整可能であって、ゴルフクラブヘッド１００は副部が第一定位にあるとき第一ソール輪郭１３６ａを有し、副部が第二定位にあるとき第二ソール輪郭１３６ｂを有する。第一ソール輪郭は第二ソール輪郭とは異なる。【選択図】図６
2012192179.tif 000002
【特許請求の範囲】
【請求項１】
主部と副部とを含むゴルフクラブヘッドであって、
前記主部は、
前表面を有する打面と
前表面の後ろにある後表面とを具え、
前記副部は、
前記主部の前記後表面に軸回転可能に連なり、前記主部に対し第一定位と第二定位との間で調整可能であって、
前記ゴルフクラブヘッドは、
前記副部が前記第一定位にあるときの第一ソール輪郭と、  
前記副部が前記第二定位にあるときの第二ソール輪郭とを有し、
前記第一ソール輪郭は前記第二ソール輪郭とは異なることを特徴とするゴルフクラブヘッド。
【請求項２】
ガスケットが前記主部と前記副部との間に設けられる請求項１のゴルフクラブヘッド。
【請求項３】
前記副部はその中に少なくとも一つの錘部を有した凹部を含む請求項１のゴルフクラブヘッド。
【請求項４】
前記副部はその中にダンピング材料を有した凹部を含む請求項１のゴルフクラブヘッド。
【請求項５】
前記第一ソール輪郭が第一バンス角を具え、前記第二ソール輪郭が第二バンス角を具え、前記第一バンス角は前記第二バンス角とは異なる請求項１のゴルフクラブヘッド。
【請求項６】
主部と副部とを含むゴルフクラブヘッドであって、
前記主部は、
リーディングエッジを具えた前表面を有する打面と、
前記前表面の後ろにある後表面と
ホーゼル中心線を有するホーゼルとを具え、
基準位置において、前記ゴルフクラブヘッドは、仮想水平地面に対してゴルフクラブヘッドのリーディングエッジにほぼ平行な仮想垂直ホーゼル面上に前記ホーゼル中心線があり、該ホーゼル中心線が前記仮想水平地面に対して実際のライ角に傾斜するよう方向づけられ、
前記副部は、
前記主部の前記後表面に軸回転可能に連なり、前記ゴルフクラブヘッドが前記基準位置にあるとき、この副部は、前記仮想垂直ホーゼル面に略垂直な仮想垂直フェース面に位置する回転軸を有し、
前記回転軸は、
前記回転軸に対して略並行で前記リーディングエッジに接し前記仮想垂直フェース面に位置する仮想線から、距離Ｙを隔てて位置し、
ソール高さと２°〜２０°のバンス角が、
（０．４）・ソール高さ・ｃｏｓ（バンス角）≦  Ｙ  ≦（２．３）・ソール高さ・ｃｏｓ（バンス角）であることを特徴とするゴルフクラブヘッド。  
【請求項７】
前記バンス角は約８°〜約１８°である請求項６のゴルフクラブヘッド。
【請求項８】
前記距離Ｙは約０．２５インチ〜１．７５インチである請求項６のゴルフクラブヘッド。
【請求項９】
前記ソール高さは約０．２５インチ〜約１．２５インチである請求項６のゴルフクラブヘッド。
【請求項１０】
（０．７）・ソール高さ・ｃｏｓ（バンス角）≦  Ｙ  ≦（２．０）・ソール高さ・ｃｏｓ（バンス角）である請求項６のゴルフクラブヘッド。
【請求項１１】
（１．２）・ソール高さ・ｃｏｓ（バンス角）≦  Ｙ  ≦（１．５）・ソール高さ・ｃｏｓ（バンス角）
である請求項６のゴルフクラブヘッド。
【請求項１２】
ヒールと、トウ、主部、副部を含むゴルフクラブヘッドであって、
前記主部は、
リーディングエッジ及び複数のスコアラインを具えた前表面を有する打面と、
前記前表面の後ろにある後表面と、
ホーゼル中心線を有するホーゼルとを具え、
基準位置において、前記ゴルフクラブヘッドは、仮想水平地面に対して前記ゴルフクラブヘッドの前記リーディングエッジにほぼ平行な仮想垂直ホーゼル面上に前記ホーゼル中心線があり、該ホーゼル中心線が前記仮想水平地面に対して実際のライ角に傾斜するよう方向づけられ、
前記副部は、
前記主部の前記後表面に軸回転可能に連なり、
この副部は前記主部に対して第一定位と第二定位との間で調整可能であり、また
この副部は
前記ゴルフクラブヘッドが前記基準位置にあるとき、前記仮想垂直ホーゼル面に略垂直な仮想垂直フェース面に位置する回転軸を有し、
前記回転軸は、前記ゴルフクラブヘッドが前記基準位置にあるとき、ホーゼル面に略垂直でかつ前記ゴルフクラブヘッドの最遠横方向突出トウ点を通る仮想垂直トウ面から距離Ｘを隔てて位置し、
前記打面が略垂直に方向付けられかつ前記スコアラインが略水平となる前記ゴルフクラブヘッドを用いて、幅Ｗは、前記打面の前記前表面に略垂直で前記ヒールに最も近い前記副部の最遠横方向突出点を通る第一の仮想垂直面と前記打面の前記前表面に略垂直で前記トウに最も近い前記副部の最遠横方向突出点を通る第二の仮想垂直面との最短距離として特徴づけられ、
前記副部の前記第一定位または前記第二定位いずれかが、
０．３Ｗ  ≦  Ｘ  ≦  ０．７Ｗ
であることを特徴とするゴルフクラブヘッド。
【請求項１３】
前記幅Ｗが約２．５インチ〜約３．５インチである請求項１２のゴルフクラブヘッド。
【請求項１４】
前記距離Ｘが約１．０インチ〜約２．０インチである請求項１３のゴルフクラブヘッド。
【請求項１５】
前記距離Ｘが約１．２５インチ〜約１．７５インチである請求項１４のゴルフクラブヘッド。
【請求項１６】
０．４Ｗ  ≦  Ｘ  ≦  ０．６Ｗである請求項１２のゴルフクラブヘッド。
【請求項１７】
前記ゴルフクラブヘッドが約８°〜約１８°のバンス角を含む請求項１２のゴルフクラブヘッド。
【請求項１８】
ヒールと、トウ、主部、副部とを含むゴルフクラブヘッドであって、
前記主部は、
リーディングエッジと複数のスコアラインと面心とを具えた前表面を有する打面と、
前記前表面の後ろにある後表面と、
ホーゼル中心線を有するホーゼルとを具え、
基準位置において、前記ゴルフクラブヘッドは、仮想水平地面に対して前記ゴルフクラブヘッドの前記リーディングエッジにほぼ平行な仮想垂直ホーゼル面上に前記ホーゼル中心線があり、該ホーゼル中心線が前記仮想水平地面に対して実際のライ角に傾斜するよう方向づけられ、
前記副部は、
前記主部の前記後表面に軸回転可能に連なり、この副部は、前記ゴルフクラブヘッドが前記基準位置にあるとき、前記仮想垂直ホーゼル面に略垂直な仮想垂直フェース面に位置する回転軸を有し、
前記回転軸は、前記ゴルフクラブヘッドが前記基準位置にあるとき、前記ホーゼル面に略垂直でかつ前記ゴルフクラブヘッドの最遠横方向突出トウ点を通る仮想垂直トウ面から、距離Ｘを隔て位置し、
前記面心は、前記ゴルフクラブヘッドが前記基準位置にあるとき、前記仮想垂直トウ面から距離Ｃを隔てて位置し、距離Ｘと距離Ｃとが異なることを特徴とするゴルフクラブヘッド。
【請求項１９】
前記距離Ｘが約１．０インチ〜約２．０インチである請求項１８のゴルフクラブヘッド。
【請求項２０】
前記距離Ｘが約１．２５インチ〜約１．７５インチである請求項１９のゴルフクラブヘッド。
【請求項２１】
前記距離Ｃが約１．０インチ〜約２．０インチである請求項１８のゴルフクラブヘッド。
【請求項２２】
前記距離Ｃが約１．２５インチ〜約１．７５インチである請求項２１のゴルフクラブヘッド。
【請求項２３】
ゴルフクラブヘッドは約８°〜約１８°のバンス角を有する請求項１８のゴルフクラブヘッド。
【請求項２４】
前記距離Ｘは前記距離Ｃより小さい請求項１８のゴルフクラブヘッド。
である
【請求項２５】
前記距離Ｘは前記距離Ｃより大きい請求項１８のゴルフクラブヘッド。  
【請求項２６】
ゴルフクラブヘッドであって、
前表面を有する打面と前表面の後ろにある後表面とを具えた主部、
副部、
前記副部を前記主部につなぐ手段、及び
前記ゴルフクラブヘッドの前記後表面から離れて前記副部を片寄せする手段
を具えることを特徴とするゴルフクラブヘッド。
【請求項２７】
前記副部を前記主部につなぐ前記手段は蟻継ぎを含む請求項２６のゴルフクラブヘッド。
【請求項２８】
前記副部をつなぐ前記手段はＴ継ぎ手を含む請求項２６のゴルフクラブヘッド。
【請求項２９】
前記ゴルフクラブヘッドの前記後表面から離れて前記副部を片寄せする前記手段は留め具を含む請求項２６のゴルフクラブヘッド。
【請求項３０】
前記留め具は前記ゴルフクラブヘッドの前記後表面と接触する請求項２９のゴルフクラブヘッド。
【発明の詳細な説明】
【背景技術】
【０００１】
あるクラブ仕様、例えばバンス角は、ショットの安定性を高めるきわめて重要であり、一般的にはプレイヤーのスイングタイプと物理的特性とによって決定される。したがって、プレイヤーは、自分のアイアンセット内でそれらのパラメーターを最適化し、自分の道具から最大限の能力を引き出すために、適切にフィッティングしなければならない。フィッティング作業において、このセットのためのクラブ仕様は、典型的には、プレイヤーのスイングの仕方を評価することによって決定される。例えば、複数の７番アイアンにおいては、各テストアイアンが  独特の特徴を有している。しかしながら、好ましいフィッティングをするために必要とされるクラブ部材は多すぎ、高くつき、運搬が困難である。
【０００２】
さらに、ゴルフラウンド毎のコース状態もまた、プレイヤーのショット安定性に計り知れない影響を与える。例えば、ゴルフコースが濡れている場合、ゴルフクラブヘッドはゴルフスイングで地面に埋まり込む傾向が強く、ショットの軌道を変えてしまうことがある。不都合なコース状態に合わせるために製造業者は、調整可能な部品、例えば取替え可能なソールを有したゴルフクラブヘッドを提供してきた。しかし、これらの部品を調整することは困難で時間のかかることである。
【発明の概要】
【発明が解決しようとする課題】
【０００３】
本発明は、その一以上の態様のなかに、クラブのフィッティング作業をより有効にし、クラブヘッド寿命を延ばし、ゴルフラウンド用のクラブの選択肢が多いゴルフクラブヘッドを含む。
【課題を解決するための手段】
【０００４】
一例として、本発明の本発明の一以上の態様によるゴルフクラブヘッドは、  前表面を有する打面と前表面の後ろにある後表面とを具えた主部、及び前記主部の後表面に軸回転可能に連なる副部を含む。副部は、主部に対し第一定位と第二定位との間で調整可能であって、ゴルフクラブヘッドは、副部が第一定位にあるときの第一ソール輪郭と、副部が第二定位にあるときの第二ソール輪郭とを有する。
【０００５】
他の例として、本発明の一以上の態様によるゴルフクラブヘッドは、リーディングエッジを具えた前表面を有する打面と、打面の前表面の後ろにある後表面と、ホーゼル中心線を有するホーゼルとを具える主部を含む。副部は主部の後表面に軸回転可能に連なり、この副部は仮想垂直ホーゼル面に略垂直な仮想垂直フェース面に位置する回転軸を有する。回転軸は、基準位置にあるゴルフクラブヘッドでは、回転軸に対して略並行でリーディングエッジに接し仮想垂直フェース面に位置する仮想線から、距離Ｙを隔てて位置する。ゴルフクラブヘッドはさらに、このようなソール高さと、２°〜２０°のバンス角を含む。
（０．７）・ソール高さ・ｃｏｓ（バンス角）≦  Ｙ  ≦２．０・ソール高さ・ｃｏｓ（バンス角）
【０００６】
別の例では、本発明の一以上の態様によるゴルフクラブヘッドは、ヒール、トウ、及び主部を具え、主部は、リーディングエッジ及び複数のスコアラインを具えた前表面を有する打面と、前表面の後ろにある後表面と、ホーゼル中心線を有するホーゼルとを含みうる。副部は、主部の後表面に軸回転可能に連なり、仮想垂直ホーゼル面に略垂直な仮想垂直フェース面に位置する回転軸を有する。回転軸は、ホーゼル面に略垂直でゴルフクラブヘッドの最遠横方向突出トウ点を通る仮想垂直トウ面から、距離Ｘを隔てて位置する。副部はまた幅Ｗを含む。打面が略垂直に方向付けられかつスコアラインが略水平となるこのゴルフクラブヘッドを用いると、幅Ｗは、打面の前表面に略垂直でヒールに最も近い副部の最遠横方向突出点を通る第一の仮想垂直面と打面の前表面に略垂直でトウに最も近い副部の最遠横方向突出点を通る第二の仮想垂直面との最短距離として特徴づけられる。
さらに、ゴルフクラブヘッドは以下の関係を満たす。
０．３Ｗ  ≦  Ｘ  ≦  ０．７Ｗ
【０００７】
別の例では、本発明の一以上の態様によるゴルフクラブヘッドは、ヒール、トウ、及び主部を含み、主部は、リーディングエッジと複数のスコアラインと面心とを具えた前表面を有する打面、前表面の後ろにある後表面と、ホーゼル中心線を有するホーゼルとを具える。副部は、前記主部の後表面に軸回転可能に連なり、この副部は仮想垂直ホーゼル面に略垂直な仮想垂直フェース面に設けられる回転軸を有する。該回転軸は  ホーゼル面に略垂直で、ゴルフクラブヘッドの最遠横方向突出トウ点を通る仮想垂直トウ面から距離Ｘを隔て位置する。ゴルフクラブヘッドが前記基準位置にあるとき、面心は仮想垂直トウ面から距離Ｃを隔てて位置し、距離Ｘと距離Ｃとは異なる。
【０００８】
さらに別の例では、本発明の一以上の態様によるゴルフクラブヘッドは、前表面を有する打面と前表面の後ろにある後表面とを具えた主部、副部、副部を主部につなぐ手段、及びゴルフクラブヘッドの後表面から離れて副部を片寄せする手段とを具える。
【０００９】
一以上の詳細な例によって以下に示されるように、本発明のゴルフクラブヘッドの上記及びその他の特徴及び長所は、種々の態様において、次の記述及び添付の請求項を検討すると明らかになるだろう。添付の図面は、例示のみを目的としており、本発明の範囲を限定するものではない。
【図面の簡単な説明】
【００１０】
本発明の典型的な実施形態が、添付の図面を参照して説明される。
【図１】図１は、本発明の一以上の態様による、基準位にあるゴルフクラブヘッドの上面図である。
【図２】図２は、図１のゴルフクラブヘッドの正面図である。
【図３】図３は、適用される面心位置決めテンプレートを有した図１のゴルフクラブヘッドの正面図である。
【図４】図４は、本発明の一以上の態様による図１のゴルフクラブヘッドのトウ側断面図である。
【図４ａ】図４ａは、本発明の一以上の態様による図１のゴルフクラブヘッドのトウ側断面図である。
【図５】図５は、本発明の一以上の態様による、図面上にフェースを有した図１のゴルフクラブヘッドの後面斜視図である。
【図５ａ】図５ａは、本発明の一以上の態様による図１のゴルフクラブヘッドのトウ側断面図である。
【図６】図６は、図５ａのゴルフクラブヘッドの分解図である。
【図７】図７は、本発明の一以上の態様による副部の正面図である。
【図８】図８は、図面上にフェースを有した図４のゴルフクラブヘッドの後面斜視図である。
【図９】図９は、図面上にフェースを有した図４のゴルフクラブヘッドの後面斜視図である。
【図１０】図１０は、図面上にフェースを有した図４のゴルフクラブヘッドの後面斜視図である。
【図１１】図１１は、図面上にフェースを有した図４のゴルフクラブヘッドの後面斜視図である。
【図１２】図１２は、図面上にフェースを有した図４のゴルフクラブヘッドの後面斜視図である。
【図１３】図１３は、図４のゴルフクラブヘッドのトウ側立面図である。
【図１４】図１４は、図４のゴルフクラブヘッドのトウ側断面図である。
【図１５】図１５は、図４のゴルフクラブヘッドの正面図である。
【図１６】図１６は、本発明の一以上の態様による、図面上にフェースを有した典型的なゴルフクラブヘッドの後面斜視図である。
【図１７】図１７は、図１６のゴルフクラブヘッドの分解図である。
【図１８】図１８は、本発明の一以上の態様による典型的な副部の断面図である。
【図１９】図１９は、本発明の一以上の態様による図１６のゴルフクラブヘッドの分解図である。
【図２０】図２０は、本発明の一以上の態様による典型的な副部の断面図である。
【図２１】図２１は、図２０の副部の正面図である。
【図２２】図２２は、本発明の一以上の態様による図１６のゴルフクラブヘッドの分解図である。
【図２３】図２３は、本発明の一以上の態様による典型的な副部の断面図である。
【図２４】図２４は、図２３の副部の正面図である。
【発明を実施するための形態】
【００１１】
以下の詳細な説明は添付の参照図面を含み、図面は詳細な説明の一部をなす。図面は、ゴルフクラブヘッドが用いられうる具体的な実施態様を例として示すものである。「例」あるいは「選択肢」としてここに参照されるこれらの態様は、当該分野の当業者が実施可能なように詳細が十分に説明されている。各実施例の構造上の要素を組み合わせたり、他の実施例を用いたり、あるいは、本発明の要旨を逸脱しない範囲で構造上あるいは論理上の変更が許される。したがって、以下の詳細な説明は、狭義にとらわれることなく、発明の要旨は添付の請求項及びここに挙げられた特徴に適法に等価なものによって定義される。
【００１２】
明確にするために、ここで用いられる定義は、図１〜４及び図１１〜１５に関して特徴付けられた発明の一以上の態様を参照して解釈される。しかしながら、当該分野の当業者は、このような定義もまた、残る図面に関連する明細書のいたるところで本発明と同一あるいは類似の態様に適用されることを理解しているだろう。
【００１３】
本書面において、語“ａ”あるいは“ａｎ”は、一以上を含む。また、語「又は」は、特に示さない限り、非排他的な「又は」として用いられると理解されたい。
【００１４】
図１及び２では、「基準位置」（すぐ下に定義）に示されるクラブヘッド１００、トウ部１０６、ヒール部１０４、中心軸（中心線）１０５を有するホーゼル１０２、トップライン部１０７、ソール部１０８、及び前表面１２２を含む。前表面１２２は、面心１１０、リーディングエッジ１２４、複数のスコアライン１１５及び、境界線１２３ａと１２３ｂとで区切られた打面１２３を含む。
【００１５】
「基準位置」とは、ここでは、仮想水平地面１２５に対するクラブヘッドの位置を意味する。そこでホーゼル中心線１０５は、水平地面１２５に対するクラブヘッドの実際のライ角αに角度付けられ、ゴルフクラブヘッド１００の前表面１２２にほぼ平行かつ仮想水平線１１２を含んだ仮想垂直ホーゼル面１１１上にある。
【００１６】
図２及び３では、「面心」、例えばここで用いられる面心１１０は、上下方向軸１１８とヒール・トウ方向軸１１６とが直交する座標系を有するテンプレート１１４を用いて位置づけられる。開口１２０は、座標軸の中心に位置し、両軸は値が等間隔に増加するように目盛りが付けられる。テンプレート１１４は、汎用性の高い材料、例えばポリマーから成ってもよく、透明であってもよい。
【００１７】
面心１１０の位置は以下のように定義される。テンプレート１１４は、開口１２０がほぼ前表面１２２の中央で、ヒール・トウ方向軸１１６が前記仮想水平線１１２にほぼ平行となるように、前表面１２２に用いられる。その後、テンプレート１１４は、打面１２３の相対する境界線（１２３ａ及び１２３ｂ）におけるヒール・トウ方軸１１６に沿ったヒールとトウ長さが同じ絶対値を有するまで、前表面１２２に沿ってトウ・ヒール方向に移動される。一度テンプレート１１４がトウ・ヒール方向の前表面１２２の中心に置かれると、テンプレート１１４は、前表面に沿って、打面１２３の相対する端での軸１１８に沿ったヒールとトウ長さが同じ絶対値を有するまで、上下方向に置き直される。上記の配置は、軸１１６に沿ったヒール寸法の絶対値がトウ寸法の絶対値に等しくなり、軸１１８に沿った下部寸法の絶対値が上部寸法の絶対値に等しくなるまで繰り返される。このとき、面心１１０を示すために、開口１２０を通して前表面１２２上に点が記される。
【００１８】
このテンプレート１１４のような位置決めテンプレートは、「全米ゴルフ協会のゴルフクラブヘッド柔軟性計測方法（United States Golf Association's Procedure for Measuring the Flexibility of a Golf Clubhead）（２．０改訂版、２００５年３月２５日）を参照されたい。また、全米ゴルフ協会から取り出すことができる。
【００１９】
図４において、基準位置にあるクラブヘッド１００の「バンス角」（例えばバンス角β）は、面心１１０を通りホーゼル面１１１に略垂直な仮想垂直中心面１４７上で、前記仮想垂直中心面１４７に位置する仮想線１４５と仮想水平地面１２５との間にある角度を示す。仮想線１４５は、仮想垂直中心面１４７上でソール部１０８の最も低い点として特徴付けられるソール点１５３と、仮想垂直中心面１４７に位置する仮想垂線１５１とゴルフクラブヘッド１００のリーディングエッジ１２４との接触点１４９とを通る。
【００２０】
図１１において、クラブヘッド１００が基準位置から水平軸に対して回転し、仮想垂直中心面１４７に垂直であるとき、前表面（図示せず）は垂直であり、そのため、副部１２８は第一または第二定位いずれか一方が幅Ｗを有する。この幅Ｗは、前表面１２２（図示せず）に垂直でかつヒール１０４に最も近い副部１２８の最遠横方向突出点１６２を通る第一の仮想垂直面１６０と、前表面（図示せず）に垂直でかつトウ１０６に最も近い副部の最遠横方向突出点１６６を通る第二の仮想垂直面１６４との間の最短距離として特徴づけられる。
【００２１】
図１２において、クラブヘッド１００が基準位置から水平軸に対して回転し、仮想垂直中心面１４７に垂直であるとき，  前表面（図示せず）は垂直であり、副部１２８は第一または第二定位いずれか一方が高さＨを有する。この高さＨは、前表面１２２（図示せず）に垂直でかつ副部１２８の最上位点１７２を通る上の仮想水平面１７０と、前表面（図示せず）に垂直でかつ副部１２８の最下位点１７６を通る下の仮想水平面１７４との間の最短距離として特徴づけられる。
【００２２】
図１３において、「ソール高さ」、例えば、ここで用いられるようなソール高さＳＨは、ゴルフクラブヘッドの前表面１２２と、前表面１２２に平行で副部１２８の最後尾点１８２を含む仮想面１８０との間の最短距離である。最後尾点１８２は、打面の前表面１２２からの最遠直交距離である副部１２８上の点である。
【００２３】
図１４において、副部１２８は、ゴルフクラブヘッドのリーディングエッジ１２４からの「第一距離」Ｙに位置する回転軸１８４の周りを旋回する。基準位置にあるクラブヘッド１００を用いて、第一距離Ｙは、副部１２８の回転軸１８４と、回転軸１８４に平行でリーディングエッジ１２４を通りかつホーゼル面１１１に略垂直で回転軸１８４を含む仮想垂直フェース面１９０上に位置する仮想線１８８との間の最短距離として特徴づけられる。
【００２４】
図１５において、回転軸１８４は、ホーゼル面１１１（図１４参照）に垂直でクラブヘッド最遠横方向突出トウ点１９６を通る仮想垂直トウ面１９４からの「第二距離」Ｘに位置する。第二距離Ｘは、基準位置にあるゴルフクラブヘッド１００を用い、仮想垂直トウ面１９４と副部１２８の回転軸１８４との間の最短距離である。
【００２５】
図４において、本発明の一以上の態様によるゴルフクラブヘッド１００は、副部１２８に軸回転可能に連なる主部１２６を含む。一以上の実施形態において、主部１２６に対する副部１２８の方向または位置は、クラブヘッドの感覚又は操作に働きかけうる。例えば、副部１２８は、複数のソール輪郭の選択肢を含みうる。それによって、各ソール輪郭は、特定のコース条件のためにデザインされる。さらに具体的に言うと、副部１２８は、例えばバンスやソール幅、キャンバー、ソール高さ、あるいはこれらの組み合わせが異なる二つ以上のソール輪郭を有する。図８〜１０に見られるように、プレイヤーは、副部１２８を、主部１２８に対し第一の位置から第二の位置まで回転させることによって、クラブヘッド１００のソール１０８を調整しうる。したがって、プレイヤーは一本のクラブを用いてクラブヘッド１００のバンスあるいは他のパラメーターを変更しうる。このため、さまざまなゴルフコースの条件に合わせたり、又は適するクラブフィッティングを用意したりするために複数のクラブを入手したり持ち運んだりする必要がなくなる。
【００２６】
図６に示されるように、ゴルフクラブヘッド１００の主部１２６は、打面（図示せず）と後表面１４０とを含む。主部１２６の後表面１４０は、副部１２８を主部１２６に取り付けたり、つないだり、又は組み合わせたりする手段を含む。例えば、主部１２６は、副部１２８を主部１２６につなぐための、例えばネジあるいはピンといった留め具１３４を受けるための、穴１３８を具えた突部１４３を含む少なくとも一つの取付部材１４２を有しうる。他の例では、サイズの異なる突部、穴、留め具あるいはそれらを組み合わせたものが、少なくとも副部１２８を主部１２６とつなぐために用いられる。
【００２７】
図４、６、７に示されるように、副部１２８は、その中に位置する補助凹部１５２を有する受容部材１５４を含む。取付部材１４２の突部１４３は、受容部材１５４の補助凹部１５２と噛み合うため、副部１２８の一部が主部１２６の後表面１４０に隣接することになる。あるいは、取付部材１４２はさらに、主部１２６の後表面１４０から突出し突部１４３と一体である座１２７を含みうる。このため、突部１４３が副部１２８の補助凹部１５２と噛み合うとき、副部１２８は座１２７に隣接し、間隙が副部１２８から主部１２６の後表面１４０を隔てうる。間隙は、図５ａに見られるように、ガスケット１３０を受けるに十分幅広いのが好ましい。図５ａ、６に示されるように、主部１２６の後表面１４０はさらに、ガスケット１３０を受けるための溝１３２を含みうる。ガスケット１３０を配置すると、例えばボールの衝撃のような好ましくない振動や音響応答の除去に役立つ。
【００２８】
図４ａ、７では、副部１２８はさらに、少なくとも部分的に受容部材１５４を囲む少なくとも一つの中空部１５０を含みうる。本発明の一つ以上の態様において、ゴルフクラブヘッド１００の質量特性を向上させるために、又は、より好ましい位置で重心を位置づけするために、錘部材が少なくとも一つの中空部１５０内に位置づけられる。又はそれに加えて、ダンピング材料１３３が、クラブヘッド反響と音響特性とを向上させるために、少なくとも一つの中空部１５０内に置かれうる、または、随意に取り外し可能に置かれうる。これによってプレイヤーは、クラブヘッド１００を特定のコース条件に合わせるために、よりいっそう変更することができる。
【００２９】
上述のように、副部１２８は、主部１２６に対して第一定位と第二定位との間で調整可である。図８では、副部１２８は主表面１３５ａと補助表面１３５ｂとを含む。主表面１３５ａは、溝１５６によって補助表面１３５ｂから隔てられうる。副部１２８が第一定位（図８参照）にあるとき、主表面１３５ａはゴルフクラブヘッド１００に第一ソール輪郭１３６ａを具えさせる。副部１２８が第二定位（図１０参照）にあるとき、補助表面１３５ｂはゴルフクラブヘッド１００に第二ソール輪郭１３６ｂを提供する。一例では、第一ソール輪郭は、第二ソール輪郭とは異なってもよい。好ましくは、副部１２８が第一定位にあるとき、第一ソール輪郭は、ゴルフクラブヘッド１００の第一バンス角が約２°〜約２０°、より好ましくは約８°〜約１８°、さらに好ましくは約１０°〜約１８°となるように構成される。好ましくは、副部１２８が第二定位にあるとき、第二ソール輪郭は、ゴルフクラブヘッド１００の第二バンス角が約２°〜約２０°、より好ましくは約１２°〜約１８°、さらに好ましくは約１４°〜約１８°となるように構成される。あるいは、クラブヘッドの寿命を延ばすため、第一ソール輪郭が第二ソール輪郭と同じでもよい。
【００３０】
図５では、主部１２６がさらにヒールフランジ１４４を含む。一例では、ゴルフクラブヘッドに見た目が美しいデザインを提供するために、副部１２８の主表面１３５ａはヒールフランジ１４４に隣接してもよい。さらに、副部１２８が主部１２６上に取り付けられて、副部１２８が主部１２６の打面１２２とほぼ同一面となってもよい。あるいは、副部１２８は、主部１２６の上に取り付けられて、副部１２８がリーディングエッジ１２４から前のソール部１４６を隔ててもよい。
【００３１】
上述のように、主部１２６は、回転軸１８４を有する留め具１３４を介して副部１２８に軸回転可能に連なる。留め具１３４は、蝶番あるいはねじ留め具のような軸回転部材を含みうる。一例では、留め具１３４は副部１２８の穴１４８を通り（図７参照）、主部１２６のねじ穴１３８とかみ合う（図６参照）。副部１２８を第一定位から第二定位まで調整するとき、副部１２８を主部１２６から除くために、ユーザーは留め具１３４を例えばラチェットといった道具で緩めればよい。図８、９に示されるように、副部１２８は留め具１３４の回転軸１８４の周りでそのように回転され、こうすることで効果的なソール調整行程が可能となる。
【００３２】
また、図１３、１４では、留め具１３４の回転軸１８４は、仮想ホーゼル面１１１に略垂直な仮想垂直フェース面１９０に位置しうる。回転軸１８４は、基準位置にあるゴルフクラブヘッド１００を用いて、回転軸１８４に略平行でリーディングエッジ１２４を通り仮想垂直フェース面１９０上に位置する仮想線１８８から距離Ｙに位置する。ゴルフクラブヘッド１００は、約０．２５インチ〜約１．２５インチ、好ましくは約０．２５インチ〜０．７５インチのソール高さＳＨをさらに含んでもよい。
好ましくは、クラブヘッド１００が次の関係を充たす。
（０．７）・ソール高さ・ｃｏｓ（バンス角）≦  Ｙ  ≦（２．０）・ソール高さ・ｃｏｓ（バンス角）
他の例では、ゴルフクラブヘッド１００は次の関係を充たす。
（０．７）・ソール高さ・ｃｏｓ（バンス角）≦  Ｙ  ≦（２．０）・ソール高さ・ｃｏｓ（バンス角）
さらに他の例では、ゴルフクラブヘッドは次の関係を充たす。
（１．２）・ソール高さ・ｃｏｓ（バンス角）≦  Ｙ  ≦（１．５）・ソール高さ・ｃｏｓ（バンス角）
距離Ｙは、約０．２５インチ〜約１．７５インチである。好ましくは、距離Ｙは、約０．２５インチ〜約１．５０インチである。さらに好ましくは、距離Ｙは、約０．５インチ〜約１．５０インチである。最も好ましくは、距離Ｙは、約０．５インチ〜約１．２５インチである。
【００３３】
図１１、１５に見られるように、回転軸１８４は、ホーゼル面１１１に略垂直でゴルフクラブヘッド１００の最遠横方向突出トウ点１９６を通る仮想垂直トウ面１９４から距離Ｘに位置しうる。副部１２８は、約２．５０インチ〜約３．５インチの、好ましくは約２．７５インチ〜約３．５０インチの、さらにこの好ましくは約３．００インチ〜約３．５０インチの、最も好ましくは約２．７５インチ〜約３．２５インチの幅Ｗをさらに含む。
一例では、ゴルフクラブヘッド１００は次の関係を充たす。
０．３Ｗ  ≦  Ｘ  ≦  ０．７Ｗ
他の例では、ゴルフクラブヘッドは次の関係を充たす。  
０．４Ｗ  ≦  Ｘ  ≦  ０．６Ｗ
距離Ｘは、約１．００インチ〜約２．００インチであり、好ましくは約１．００インチ〜約１．７５インチ、より好ましくは約１．２５インチ〜約１．７５インチである。
【００３４】
図１２では、ゴルフクラブヘッド１００の副部１２８は高さＨを有してもよい。好ましくは、高さＨは、約０．７５インチ〜約２．５０インチ、さらに好ましくは約１．００インチ〜約２．００インチ、最も好ましくは約１．００インチ〜約１．７５インチである。
【００３５】
図１５では、ゴルフクラブヘッド１００が基準位置にあるとき、面心１１０は仮想垂直トウ面１９４から水平距離Ｃに位置する。一例では、距離Ｘは距離Ｃとは等しくない。他の例では、距離Ｘは距離Ｃとほぼ同距離であり、そうすることで、回転軸１８４が面心１１０を通りかつホーゼル面１１１に垂直な仮想垂直中心面１９５に位置する。さらに他の例では、距離Ｘは距離Ｃよりも大きい。好ましくは、距離Ｃは約１．００インチ〜約２．００インチ、好ましくは約１．００インチ〜約１．７５インチ、さらに好ましくは約１．２５インチ〜約１．７５インチである。
【００３６】
図１６〜１８では、本発明の一以上の態様によるゴルフクラブヘッド２００は、副部２２８が取り外し可能に連なる主部２２６を含んでもよい。主部２２６は、打面（図示せず）と後表面２４０とを含む。ガイドレール２５５ａは、主部２２６の後表面２４０から突出し、これに沿って副部２２８が主部２２６にスライド自在に噛み合いうる蟻継ぎ部材を具える。例えば、主部２２６の蟻継ぎ部材は、間に蟻継ぎを形成するために、副部２２８に位置する凹状の補助的蟻継ぎ２５７ａと噛み合いうる。したがって、ソール輪郭を調整するために、プレイヤーは副部２２８を外して、セパレート副部と置き換えるだろう。新しい副部は複数の選択肢から選ばれうる。これによって、各副部は、主部２２６に固定される場合、異なるソール輪郭を形成するように形成される。副部２２８を主部２２６につなぐための手段に関する他の形状や外形あるいは定位は、ここに示されたり又は記載されたりする。
【００３７】
図１９〜２１では、本発明の一以上の態様によるゴルフクラブヘッド２００は、主部２２６の後表面２４０からのびる切断蟻継ぎを有するガイドレール２５５ｂを選択的に含む。主部２２６の切断蟻継ぎ部材は、副部２２８の受容部材２２５ａに位置して間に蟻継ぎを形成する凹状の補助的切断蟻継ぎ２５７ｂに噛み合いうる。この切断蟻継ぎを用いて、副部２２８は主部２２６から外されたり、回転あるいは再度位置決めされたり、主部２２６に戻されたりしうる。第一定位においては副部２２８が第一ソール輪郭を規定し、第二定位においては、複数の副部を必要とすることなく、副部２２８が第二ソール輪郭を規定しうる。他の例では、複数の副部が設けられ、これによって各副部は少なくとも二つのソール輪郭を有する。したがって、プレイヤーは、ゴルフクラブヘッド２００を好みやプレイ状況に応じてあるいはフィッティング作業として、調整しうる。上述のようにユーザーがソール輪郭を調整できるようにしながら見た目に美しいゴルフクラブヘッドを提供するために、副部２２８は主部２２６のフランジ２４４に隣接してもよい。
【００３８】
副部２２８はさらに、受容部材２２５ａを少なくとも部分的に囲む少なくとも一つの中空部２５０を含みうる。おもり又はダンピング材料は、それぞれ、質量特性又は振動応答を向上させるために、前記少なくとも一つの中空部２５０に設けられる。ガスケットは、主部２２６と副部２２８との間に随意に置かれる。
【００３９】
図２２〜２４では、本発明の一以上の態様によるゴルフクラブヘッド２００は、主部２２６の後表面２４０からのびる切断Ｔ字突部を含むガイドレール２５５ｃを選択的に有しうる。主部２２６のＴ字突部は、副部２２８の受容部材２２５ｂに位置しその間でＴ字ジョイントを形成するための補助的Ｔ字スロット２５７ｃと噛み合いうる。上述のように、クラブヘッド２００のソール輪郭は、副部２２８を第一ソール輪郭に連なる第一の位置から第二ソール輪郭に連なる第二の位置まで回転させるあるいは再度位置づけることによって改良されうる。特筆すべきは、選択的に、ガイドレールが副部２２８上に形成されうることであり、受容部材が主部２２６上に形成されうることである。
【００４０】
図１７、１９、２２に示される本発明の各態様に関して、副部２２８はさらに、例えば固定部材２３５や、２３５ａ、２３５ｂのような一以上の固定部材によって主部２２６に固定されてもよい。より具体的に図１９を参照すると、副部２２８は、固定部２３５を受ける一つ以上のねじ穴２３４を具える。固定部材２３５は、例えばねじ留め具あるいはねじを含んでもよく、チップ２３６を含みうる。固定部材２３５がねじ穴２３４と噛み合うとき、固定部材２３５のチップ２３６は主部２２６の切断蟻継ぎ部材２５５ｂを押す。その結果、固定部材２３５は主部２２６の後表面２４０から離れる方向に副部２２８を片寄せし、これにより、切断蟻継ぎ部材２５５ｂと副部２２８の補助的切断蟻継ぎスロット２５７ｂとがぴったりとはまるようになる。
【００４１】
ここに示されたクラブヘッドは、金属やポリマー、セラミック、合成材料、木材を含む種々の材料から形成されうる。例えば、クラブヘッド１００とクラブヘッド２００は、  ステンレススチールあるいはチタン、グラファイト繊維強化エポキシ樹脂、また、柿材あるいはラミネートされたカエデ材から作られてもよい。一例では、クラブヘッドは少なくとも一部が、別名強化熱可塑性プラスチック（ＲＴＰ）や強化熱可塑性樹脂（ＲＴＲ）やガラス強化プラスチック（ＧＲＰ）として知られる繊維強化またはガラス繊維強化プラスチック（ＦＲＰ）から形成されてもよい。
【００４２】
上記は実例であって、限定的なものではないことをご理解いただきたい。他の多くの実施形態が、上記を検討する当業者には明らかであろう。したがって、この範囲は、添付の請求項と、それに加えてこのような請求項に与えられる同等の全ての範囲に準拠して決められるものとする。
【図１】
2012192179.tif 000003
【図２】
2012192179.tif 000004
【図３】
2012192179.tif 000005
【図４】
2012192179.tif 000006
【図４ａ】
2012192179.tif 000007
【図５】
2012192179.tif 000008
【図５ａ】
2012192179.tif 000009
【図６】
2012192179.tif 000010
【図７】
2012192179.tif 000011
【図８】
2012192179.tif 000012
【図９】
2012192179.tif 000013
【図１０】
2012192179.tif 000014
【図１１】
2012192179.tif 000015
【図１２】
2012192179.tif 000016
【図１３】
2012192179.tif 000017
【図１４】
2012192179.tif 000018
【図１５】
2012192179.tif 000019
【図１６】
2012192179.tif 000020
【図１７】
2012192179.tif 000021
【図１８】
2012192179.tif 000022
【図１９】
2012192179.tif 000023
【図２０】
2012192179.tif 000024
【図２１】
2012192179.tif 000025
【図２２】
2012192179.tif 000026
【図２３】
2012192179.tif 000027
【図２４】
2012192179.tif 000028
【外国語明細書】
GOLF CLUB HEAD 
COPYRIGHT AUTHORIZATION
[0001]       The disclosure below may be subject to copyright protection. The copyright owner has no objection to the facsimile reproduction by anyone of the documents containing this disclosure, as they appear in the Patent and Trademark Office records, but otherwise reserves all applicable copyrights.
BACKGROUND
[0002]       Certain club specifications, e.g., bounce angle, may be crucial to achieving shot consistency and are generally dictated by the swing type and physical characteristics of the player. Accordingly, players must be properly fitted to optimize these parameters in their iron sets and to obtain maximum performance from their equipment. During the fitting process, club specifications for the entire set are typically determined by evaluating a player's swing using, e.g., a plurality of 7 irons, wherein each test iron has a distinct set of specifications. However, the excessive number of clubs required to perform a proper fitting may be expensive and cumbersome to transport.
[0003]       Moreover, playing conditions may also have a profound effect on a player's shot consistency during a golf round. For example, when the golf course is wet, the golf club head has a greater tendency to dig into the ground during a golf swing, which may alter the shot trajectory. To accommodate adverse playing conditions, manufacturers have provided golf club heads that have adjustable components, e.g., interchangeable soles. However, adjusting these components can be difficult and time consuming.
SUMMARY
[0004]       The present invention, in one or more aspects thereof, may comprise a golf club head that promotes a more efficient club fitting process, improved club head longevity, and enhanced club options for a golf round.
[0005]       In one example, a golf club head according to one or more aspects of the present invention may include a primary component, having a strike face with a front surface, a rear surface behind the front surface, and a secondary component, pivotally associated with the rear surface of the strike face. The secondary component is adjustable between a first orientation and a second orientation relative to the primary component such that the golf club head has a first sole contour when the secondary component is in the first orientation and a second sole contour when the secondary component is in the second orientation. The first sole contour is different from the second sole contour.
[0006]       In another example, a golf club head according to one or more aspects of the present invention may include a primary component comprising a strike face having a front surface with a leading edge, a rear surface behind the front surface of the strike face, and a hosel having a hosel centerline. A secondary component is pivotally associated with the rear surface of the primary component, and the secondary component includes an axis of rotation located in an imaginary vertical face plane, substantially perpendicular to an imaginary hosel plane. The axis of rotation is located a distance Y from an imaginary line, substantially parallel to the axis of rotation, passing through the leading edge of the golf club head, and located in the imaginary vertical face plane, with the golf club head in a reference position. The golf club head further includes a sole height and a bounce angle between about 2°and about 20°, wherein;
(0.7)・sole height・cos (bounce angle) ≦ Y ≦ 2.0・sole height・cos (bounce angle).
[0007]       In another example, a golf club head according to one or more aspects of the present invention may include a heel, a toe, and a primary component comprising a strike face having a leading edge and a plurality of score lines, a rear surface behind the front surface, and a hosel having a hosel centerline. A secondary component is pivotally associated with the rear surface of the primary component and includes an axis of rotation located in an imaginary vertical face plane, substantially perpendicular to an imaginary vertical hosel plane. The axis of rotation is located a distance X from an imaginary vertical toe plane, substantially perpendicular to the hosel plane and passing through the furthest laterally projecting toe point of the golf club head. The secondary component further includes a width W characterized as the shortest distance between a first imaginary vertical plane, substantially perpendicular to the front surface of the strike face and passing through the furthest laterally projecting point of the secondary component proximate the heel, and a second imaginary vertical plane, substantially perpendicular to the front surface of the strike face and passing through the furthest laterally projecting point of the secondary component proximate the toe, with the golf club head oriented such that the strike face is substantially vertical and the score lines are substantially horizontal.
Moreover, the golf club head satisfies the relationship: 0.3W ≦ X ≦ 0.7W.
[0008]       In yet another example, a golf club head according to one or more aspects of the present invention may include a heel, a toe, and a primary component comprising a strike face with a face center, a leading edge, and a plurality of score lines, a rear surface behind the front surface, and a hosel having a hosel centerline. A secondary component is pivotally associated with the rear surface of the primary component and includes an axis of rotation located in an imaginary vertical face plane, substantially perpendicular to an imaginary vertical hosel plane. The axis of rotation is located a distance X from an imaginary vertical toe plane, substantially perpendicular to the hosel plane and passing through the furthest laterally projecting toe point of the golf club head. The face center is located a distance C from the imaginary vertical toe plane when the golf club head is in the reference position, the distance X ≠ the distance C.
[0009]       In yet another example, a golf club head according to one or more aspects of the present invention may include a primary component, comprising a strike face having a front surface, a rear surface behind the front surface, and a secondary component. The golf club head may further include a means for joining the secondary component to the primary component and a means for biasing the secondary component away from the rear surface of the golf club head.
[0010]       These and other features and advantages of the golf club head according to the invention in its various aspects, as provided by one or more of the examples described in detail below, will become apparent after consideration of the ensuing description, the accompanying drawings, and the appended claims. The accompanying drawings are for illustrative purposes only and are not intended to limit the scope of the present invention.
BMEF DESCRIPTION OF THE DRAWINGS
[0011]       Exemplary implementations of the present invention will now be described with reference to the accompanying drawings, wherein:
[0012]       FIG, 1 is a top plan view of a golf club head in the reference position according to one or more aspects of the present invention.
[0013]       FIG. 2 is a front elevational view of the golf club head of FIG. 1.
[0014]       FIG. 3 is a front elevational view of the golf club head of FIG. 1, with a face-center locating template applied thereto.
[0015]       FIG, 4 is a toe-side cross-sectional view of the golf club head of FIG. 1, according to one or more aspects of the present invention.
[0016]       FIG. 4a is a toe-side cross-sectional view of the golf club head of FIG. 1, according to one or more aspects of the present invention.
[0017]       FIG. 5 is a rear perspective view of the golf club head of FIG. 1, according to one or more aspects of the present invention, with its face in the drawing plane.
[0018]       FIG. 5a is a toe-side cross-sectional view of the golf club head of FIG. 1, according to one or more aspects of the present invention..
[0019]       FIG. 6 is an exploded view of the golf club head of FIG. 5a.
[0020]       FIG. 7 is a front elevational view of a secondary component, according to one or more aspects of the present invention.
[0021]       FIG, 8 is a rear perspective view of the golf club head of FIG. 4 with its face in the drawing plane.
[0022]       FIG. 9 is a rear perspective view of the golf club head of FIG. 4 with its face in the drawing plane.
[0023]       FIG. 10 is a rear perspective view of the golf club head of FIG. 4 with its face in the drawing plane.
[0024]       FIG. 11 is a rear perspective view of the golf club head of FIG. 4 with its face in the drawing plane.
[0025]       FIG. 12 is a rear perspective view of the golf club head of FIG. 4 with its face in the drawing plane.
[0026]       FIG. 13 is a toe-side elevational view of the golf club head of FIG. 4.
[0027]       FIG. 14 is a toe-side cross-sectional view of the golf club head of FIG. 4.
[0028]       FIG. 15 is a front elevational view of the golf club head of FIG. 4.
[0029]       FIG. 16 is a rear perspective view of an exemplary golf club head, according to one or more aspects of the present invention, with its face in the drawing plane.
[0030]       FIG. 17 is an exploded view of the golf club head of FIG. 16.
[0031]       FIG. 18 is a cross-sectional view of an exemplary secondary component, according to one or more aspects of the present invention.
[0032]       FIG. 19 is an exploded view of the golf club head of FIG. 16, according to one or more aspects of the present invention.
[0033]       FIG. 20 is a cross-sectional view of an exemplary secondary component, according to one or more aspects of the present invention.
[0034]       FIG. 21 is a front elevational view of the secondary component of FIG. 20.
[0035]       FIG. 22 is an exploded view of the golf club head of FIG. 16, according to one or more aspects of the present invention.
[0036]       FIG, 23 is a cross-sectional view of an exemplary secondary component, according to one or more aspects of the present invention.
[0037]       FIG. 24 is a front elevational view of the secondary component of FIG. 23.
DETAILED DESCRIPTION
[0038]       The following detailed description includes references to the accompanying drawings, which form a part of the detailed description. The drawings show, by way of illustration, specific embodiments in which the golf club head may be practiced. These embodiments, which are also referred to herein as "examples" or "options," are described in enough detail to enable those skilled in the art to practice the present invention. Structural elements of each embodiment may be combined, other embodiments may be utilized, or structural or logical changes may be made without departing from the scope of the invention. The following detailed description is, therefore, not to be taken in a limiting sense and the scope of the invention is defined by the appended claims and the legal equivalents of the features recited herein.
[0039]       For clarity, the definitions used herein are interpreted with reference to one or more aspects of the invention characterized in relation to FIGS. 1-4 and 11-15 of the drawings. However, those skilled in the art will appreciate that such definitions also apply to same or similar aspects of the invention described throughout the specification in connection with the remaining drawing figures.
[0040]       In this document, the terms "a" or "an" are used to include one or more, and the term "or" is used to refer to a nonexclusive "or" unless otherwise indicated. In addition, it is to be understood that the phraseology or terminology employed herein, and not otherwise defined, is for the purpose of description only and not of limitation.
[0041]       Referring to FIGS. 1 and 2, a club head 100, shown in the "reference position" (defined immediately below) may comprise a toe portion 106, a heel portion 104, a hosel 102 having a central axis (centerline) 105, a top line portion 107, a sole portion 108, and a front surface 122. The front surface 122 includes a face center 110, a leading edge 124, a plurality of score-lines 115, and a strike face 123, delimited by boundaries 123a and 123b.
[0042]       "Reference position", as used herein, denotes a position of the club head relative to an imaginary horizontal ground plane 125, where the hosel centerline 105 is oriented at the club head's actual lie angle α with respect to the horizontal ground plane 125 and lies in an imaginary vertical hosel plane 111, which contains an imaginary horizontal line 112, generally parallel to the front surface 122 of the golf club head 100.
[0043]       Referring to FIGS. 2 and 3, "face center", e.g., the face center 110, as used herein, is located using a template 114, having a coordinate system with a heel-toe axis 116 orthogonal to a top-bottom axis 118. An aperture 120 is disposed at the origin of the coordinate system and the axes are graduated into evenly spaced increments. The template 114 may be made of a flexible material, e.g., a polymer, and may be transparent.
[0044]       The location of the face center 110 is determined as follows. The template 114 is initially applied to the front surface 122 so that the aperture 120 is approximately in the middle of the front surface 122 and the heel-toe axis 116 is generally parallel to the line 112. The template is then translated in the heel-toe direction along the front surface 122 until the heel and the toe measurements along the axis 116 at the opposite boundaries (123a and 123b) of the striking face 123 have the same absolute value. Once the template 114 is centered with respect to the front surface 122 in the heel-toe direction, the template is translated in the top-bottom direction along the front surface until the measurements along the axis 118 at the opposite edges of the striking face 123 have the same absolute value. The above sequence is repeated until the absolute value of the heel measurement along axis 116 is equal to that of the toe measurement and the absolute value of the bottom measurement along axis 118 is equal to that of the top measurement. A point is then marked on the front surface through the aperture 120 to designate the face center 110.
[0045]       A locating template, such as the template 114, is referenced in the United States Golf Association's Procedure for Measuring the Flexibility of a Golf Clubhead (Revision 2.0, March 25, 2005) and is available from the USGA. 
[0046]       Referring to FIG. 4, "bounce angle" of the club head 100 in the reference position, e.g., bounce angle β, denotes an angle, in an imaginary vertical center plane 147 passing through the face center 110 and substantially perpendicular to the hosel plane 111, between an imaginary line 145, located in the center plane 147, and a ground plane 125. The imaginary line 145 passes through a sole point 153, characterized as the lowermost point of the sole portion 108 in the center plane 147, and a point of tangency 149 of an imaginary vertical line 151, located in the center plane 147, to the leading edge 124 of the golf club head 100.
[0047]       Referring to FIG. 11, when the club head 100 is rotated from the reference position relative to a horizontal axis, normal to the center plane 147, so that the front surface (not shown) is vertical, the secondary component 128, in either the first or the second orientation, has a width W, characterized as the shortest distance between a first imaginary vertical plane 160, perpendicular to the front surface 122 (not shown) and passing through the furthest laterally projecting point 162 of the secondary component 128 proximate the heel 104, and a second imaginary vertical plane 164, perpendicular to the front surface (not shown) and passing through the furthest laterally projecting point 166 of the secondary component proximate the toe 106.
[0048]       Referring to FIG. 12, when the club head 100 is rotated from the reference position relative to a horizontal axis, normal to the center plane 147, so that the front surface (not shown) is vertical, the secondary component 128, in either the first or the second orientation, has a height H, characterized as the shortest distance between an upper imaginary horizontal plane 170, perpendicular to the front surface (not shown) and passing through a top-most point 172 of the secondary component 128, and a lower imaginary horizontal plane 174, perpendicular to the front surface (not shown) and passing through a bottom-most point 176 of the secondary component 128.
[0049]       Referring to FIG. 13, "sole height", e.g., a sole height SH, as used herein, is the shortest distance between the front surface 122 of the golf club head and an imaginary plane 180, parallel to the front surface 122 and containing the rear-most point 182 of the secondary component 128. The rear-most point 182 is the point on the secondary component 128 that is the furthest orthogonal distance from the front surface 122 of the strike face.
[0050]       Referring to FIG. 14, the secondary component 128 pivots about an axis of rotation 184, which is located a "first distance" Y from the leading edge 124 of the golf club head. With the club head 100 in the reference position, the first distance Y is characterized as the shortest distance between the axis of rotation 184 of the secondary component 128 and an imaginary line 188, parallel to the axis of rotation 184, passing through the leading edge 124, and located in an imaginary vertical face plane 190, substantially perpendicular to the hosel plane 111 and containing the axis of rotation 184.
[0051]       Referring to FIG. 15, the axis of rotation 184 is located a "second distance" X from an imaginary vertical toe plane 194, perpendicular to the hosel plane 111 (see FIG. 14) and passing through the furthest laterally projecting toe point 196 of the club head. The second distance X is the shortest distance between the imaginary vertical toe plane 194 and the axis of rotation 184 of the secondary component 128, with the golf club head 100 in the reference position.
[0052]       Referring to FIG. 4, a golf club head 100, according to one or more aspects of the present invention, includes a primary component 126 pivotally associated with a secondary component 128. In one or more embodiments, the orientation or position of the secondary component 128 relative to the primary component 126 may affect the feel and/or play of the club head. For instance, the secondary component 128 may include a plurality of sole contour options, whereby each sole contour is designed for a particular course condition. More specifically, the secondary component 128 may have two or more sole contours which differ in, e.g., bounce, sole width, camber, sole height, or any combination thereof. As shown in FIGS. 8-10, a player may adjust the sole 108 of the club head 100 by rotating the secondary component 128, i.e., from a first position to a second position, relative to the primary component 128. Accordingly, a player may modify the bounce or other parameter of the club head 100 by using a single club, thus obviating the need to acquire or carry multiple clubs to accommodate varying golf course conditions and/or to provide a proper a club fitting.
[0053]       As illustrated in FIG. 6, the primary component 126 of the golf club head 100 includes the strike face (not shown) and a rear surface 140. The rear surface 140 of the primary component 126 includes a means for mounting, joining, and/or coupling the secondary component 128 with the primary component 126. For example, the primary component 126 may have at least one mounting element 142 comprising a projection 143 with a bore 138 for receiving a fastener 134, e.g., a screw or pin, to couple the secondary component 128 to the primary component 126. In another example, a combination of different sized projections, bores, fasteners, or any combination thereof may be utilized to couple at least a portion of the secondary component 128 with the primary component 126.
[0054]       As shown in FIGS. 4, 6, and 7, the secondary component 128 may include a receiving element 154 having a complementary recess 152 located therein. The projection 143 of the mounting element 142 may engage the complementary recess 152 of the receiving element 154, thus allowing a portion of the secondary component 128 to abut the rear surface 140 of the primary component 126. Alternatively, the mounting element 142 may further include a seat 127 that protrudes from the rear surface 140 of the primary component 126 and is integral with the projection 143. Accordingly, when the projection 143 engages the complementary recess 152 of the secondary component 128, the secondary component 128 may abut the seat 127 and a gap may separate the rear surface 140 of the primary component 126 from the secondary component 128. Preferably, the gap is wide enough to accommodate a gasket 130, as shown in FIG. 5a. Referring to FIGS. 5a and 6, the rear surface 140 of the primary component 126 may further include a channel 132 for receiving the gasket 130. The gasket 130 arrangement allows for abatement of unfavorable vibrational and acoustical responses, associated, e.g., with ball impact.
[0055]       Referring to FIGS. 4a and 7, the secondary component 128 may further include at least one cavity 150 that at least partially surrounds the receiving element 154. In one ore more aspects of the present invention, a weighting element may be positioned within the at least one cavity 150 to improve the mass properties of the golf club head 100 and/or to orient the center of gravity in a more favorable location. Alternatively or additionally, a damping material 133 may be placed, or optionally removably placed, within the at least one cavity 150 to improve club head feedback and acoustical properties. This allows the player to further modify the club head 100 to accommodate a particular course condition.
[0056]       As described above, the secondary component 128 may be adjustable between a first orientation and a second orientation relative to the primary component 126. Referring to FIG. 8, the secondary component 128 may include a primary surface 135a and an auxiliary surface 135b. The primary surface 135a may be separated from the auxiliary surface 135b by a groove 156. When the secondary component 128 is in the first orientation (see FIG. 8), the primary surface 135a provides the golf club head 100 with a first sole contour 136a. When the secondary component 128 is in the second orientation (see FIG. 10), the auxiliary surface 135b provides the golf club head 100 with a second sole contour 136b. In one example, the first sole contour may be different from the second sole contour. Preferably, when the secondary component 128 is in the first orientation, the first sole contour is configured such that the golf club head 100 has a first bounce angle between about 2°and about 20°, more preferably between about 8°and about 18°, and most preferably between about 10°and about 18°. Preferably, when the secondary component 128 is in the second orientation, the second sole contour is configured such that the golf club head 100 has a second bounce angle between about 2°and about 20°, more preferably between about 12°and about 18°, and most preferably between about 14°and about 18°. Alternatively, the first sole contour may be the same as the second sole contour to improve club head longevity.
[0057]       Referring to FIG. 5, the primary component 126 further includes a heel flange 144. In one example, the primary surface 135a of the secondary component 128 may abut the heel flange 144 to provide the golf club head with an aesthetically pleasing design. Additionally, the secondary component 128 may be mounted on the primary component 126 such that the secondary component 128 is substantially flush with the strike face 122 of the primary component 126. Alternatively, the secondary component 128 may be mounted on the primary component 126 such that the secondary component 128 is spaced away from the leading edge 124 by a forward sole portion 146.
[0058]       As described above, the primary component 126 is pivotally associated with the secondary component 128 via a fastener 134 having an axis of rotation 184. The fastener 134 may comprise a hinge or a pivoting element, such as a threaded fastener. In one example, the fastener 134 passes through a hole 148 (see FIG. 7) in the secondary component 128 and engages a threaded bore 138 of the primary component 126 (see FIG. 6). When adjusting the secondary component 128 from the first orientation to the second orientation, the user may loosen the fastener 134 via a tool, e.g., a ratchet, to unseat the secondary component 128 from the primary component 126. The secondary component 128 is then pivoted about the axis of rotation 184 of the fastener 134, as shown in FIGS. 8 and 9, thus allowing for an efficient sole adjustment process.
[0059]       Referring again to FIGS. 13 and 14, the axis of rotation 184 of the fastener 134 may be located in an imaginary vertical face plane 190, substantially perpendicular to an imaginary hosel plane 111. The axis of rotation 184 is located a distance Y from an imaginary line 188, substantially parallel to the axis of rotation 184, passing through the leading edge 124, and located in the imaginary vertical face plane 190, with the golf club head 100 in a reference position. The golf club head 100 may further include a sole height SH between about 0.25 inches and about 1.25 inches and preferably between about 0.25 inches and 0.75 inches. Preferably, the club head 100 satisfies the relationship: (0.7)・sole height・cos (bounce angle) ≦ Y ≦ 2.0・sole height・cos (bounce angle). In another example, the golf club head 100 satisfies the relationship: (0.7)・sole height・cos (bounce angle) ≦ Y ≦ (2.0)・sole height・cos (bounce angle). In yet another example, the golf club head satisfies the relationship: (1.2)・sole height・cos (bounce angle) ≦ Y ≦ (1.5)・sole height・cos (bounce angle). The distance Y may be between about 0.25 inches and about 1.75 inches. Preferably, the distance Y may be between about 0.25 inches and about 1.50 inches. More preferably, the distance Y may be between about 0.5 inches and about 1.50 inches. Most preferably, the distance Y may be between about 0.5 inches and about 1.25 inches.
[0060]       As shown in FIGS. 11 and 15, the axis of rotation 184 may be located a distance X from an imaginary vertical toe plane 194, substantially perpendicular to the hosel plane 111 and passing through the furthest laterally projecting toe point 196 of the golf club head 100. The secondary component 128 further includes a width W between about 2.50 inches and about 3.5 inches, preferably between about 2.75 inches and about 3.50 inches, more preferably between about 3.00 inches and about 3,50 inches, and most preferably between about 2.75 inches and about 3.25 inches. In one example, the golf club head 100 satisfies the relationship: 0.3W ≦ X ≦ 0.7W. In another example, the golf club head satisfies the relationship: 0.4W ≦ X ≦ 0.6W. The distance X may be between about 1.00 inch and about 2.00 inches, preferably between about 1.00 inch and about 1.75 inches, and more preferably between about 1.25 inches and about 1.75 inches.
[0061J       Referring to FIG. 12 the secondary component 128 of the golf club head 100 may also have a height H. Preferably, the height H is between about 0.75 inches and about 2.50 inches, more preferably between about 1.00 inch and about 2.00 inches, and most preferably between about 1.00 inch and about 1.75 inches.
[0062]       Referring again to FIG. 15, the face center 110 is located a horizontal distance C from the imaginary vertical toe plane 194, when the golf club head 100 is in the reference position. In one embodiment, the distance X is not equal to the distance C. In another embodiment, the distance X is substantially the same as the distance C, whereby the axis of rotation 184 is located in an imaginary vertical center plane 195, passing through the face center 110 and perpendicular to the hosel plane 111. In yet another embodiment, the distance X is greater than the distance C. Preferably, the distance C is between about 1.00 inch and about 2.00 inches, preferably between about 1.00 inch and about 1.75 inches, and more preferably between about 1.25 inches and about 1.75 inches.
[0063]       Referring to FIGS. 16-18, a golf club head 200, according to one or more aspects of the present invention, may include a primary component 226 removably associated with a secondary component 228. The primary component 226 includes a strike face (not shown) and a rear surface 240. A guide rail 255a projects from the rear surface 240 of the primary component 226 and provides a dovetail member along which the secondary component 228 may slidably engage with the primary component 228. For instance, the dovetail member of the primary component 226 may engage with a complementary dovetail slot 257a, located on the secondary component 228, to form a dovetail joint therebetween. Accordingly, to adjust the sole contour, a player would remove the secondary component 228 and replace it with a separate secondary component. The new secondary component may be selected from a plurality of options, whereby each secondary component is configured to form a distinct sole contour when secured to the primary component 226. Other shapes, profiles, or orientations of the means for joining the secondary component 228 with the primary component 226 are shown and/or described herein.
[0064]       Referring to FIGS. 19-21, the golf club head 200, according to one or more aspects of the present invention, may alternatively comprise a guide rail 255b having a truncated dove tail extending from the rear surface 240 of the primary component 226. The truncated dovetail member of the primary component 226 may engage with a complementary truncated dovetail slot 257b, located in a receiving element 225a of the secondary component 228, to form a dovetail joint therebetween. By utilizing the truncated dovetail, the secondary component 228 may be removed from the primary component 226, rotated or re-oriented, and replaced on the primary component 226. In a first orientation, the secondary component 228 may provide a first sole contour, and in a second orientation, the secondary component 228 may provide a second sole contour, without requiring a plurality of secondary components. In another example, a plurality of secondary components may be provided, whereby each secondary component has at least two sole contours thereon. Accordingly, the player may adjust the golf club head 200 based on preference, playing conditions, or for a fitting process. The secondary component 228 may abut a flange 244 of the primary component 226 to provide an aesthetically pleasing golf club head, while allowing the user to adjust the sole contour as discussed above.
[0065]       The secondary component 228 may further include at least one cavity 250 that at least partially surrounds the receiving element 225a. Weights and/or damping material may be positioned in the at least one cavity 250 to improve mass properties and/or vibrational response, respectively. A gasket is optionally disposed between the primary component 226 and the secondary component 228.
[0066]       Referring to FIGS. 22-24, the golf club head 200, according to one or more aspects of the present invention, may alternatively have a guide rail 255c comprising a truncated T-shaped projection that extends from the rear surface 240 of the primary component 226. The T-shaped projection of the primary component 226 may engage with a complementary T-shaped slot 257c, located in a receiving element 225b of the secondary component 228, to form a T-joint therebetween. As described above, the sole contour of the club head 200 may be modified by rotating or re-orienting the secondary component 228 from a first position, associated with a first sole contour, to a second position, associated with a second sole contour. It should be noted that, alternatively, the guide rails may be formed on the secondary component 228 and the receiving elements may be formed on the primary component 226.
[0067]       With regard to each of the aspects of the present invention shown in FIGS. 17, 19, and 22, the secondary component 228 may be further secured to the primary component 226 by one or more securing elements, e.g., the securing elements 235, 235a, and 235b. Referring more specifically to FIG. 19, the secondary component 228 is provided with one or more threaded bores 234, which receives the securing element 235 therein. The securing element 235 may, e.g., comprise a threaded fastener or screw, and may include a tip 236. When the securing element 235 engages the threaded bore 234, the tip 236 of the securing element 235 pushes against the truncated dovetail member 255b of the primary component 226. Accordingly, the securing element 235 biases the secondary component 228 away from the rear surface 240 of the primary component 226, thus forming a tight fit between the truncated dovetail member 255b and the complementary truncated dovetail slot 257b of the secondary component 228.
[0068]       The club heads, described herein, may be formed from a wide variety of materials, including metals, polymers, ceramics, composites, and wood. For instance, the club heads 100 and 200 may be made from stainless steel, titanium, or graphite fiber-reinforced epoxy, as well as persimmon or laminated maple. In one example, the club head may be formed, at least in part, of fiber-reinforced or fiberglass-reinforced plastic (FRP), otherwise known as reinforced thermoset plastic (RTP), reinforced thermoset resin (RTR), and glass-reinforced plastic (GRP).
[0069]       It is to be understood that the above description is intended to be illustrative, and not restrictive. Many other embodiments will be apparent to those of skill in the art upon reviewing the above description. The scope should, therefore, be determined with reference to the appended claims, along with the full scope of equivalents to which such claims are entitled.
CLAIMS
1. A golf club head comprising:
a primary component comprising:
a strike face having a front surface; and
a rear surface behind the front surface; and
a secondary component pivotally associated with the rear surface of the primary component, the secondary component adjustable between a first orientation and a second orientation relative to the primary component, wherein the golf club head has a first sole contour when the secondary component is in the first orientation and a second sole contour when the secondary component is in the second orientation, the first sole contour being different from the second sole contour.
2. The golf club head of claim 1, wherein a gasket is disposed between the primary component and the secondary component.
3. The golf club head of claim 1, wherein the secondary component includes a recess having at least one weight element disposed therein.
4. The golf club head of claim 1, wherein the secondary component includes a recess having a damping material disposed therein.
5. The golf club head of claim 1, wherein the first sole contour comprises a first bounce angle and the second sole contour comprises a second bounce angle, wherein the first bounce angle is different from the second bounce angle.
6. A golf club head comprising:
a primary component comprising:
a strike face having a front surface with a leading edge;
a rear surface behind the front surface; and
a hosel having a hosel centerline,
wherein, in a reference position, the golf club head is oriented relative to an imaginary horizontal ground plane so that the hosel centerline is in an imaginary vertical hosel plane generally parallel to the leading edge of the golf club head and the hosel centerline is oriented at an actual lie angle relative to the imaginary horizontal ground plane;
a secondary component pivotally associated with the rear surface of the primary component, the secondary component having an axis of rotation located in an imaginary vertical face plane which is substantially perpendicular to the imaginary vertical hosel plane when the golf club head is in the reference position;
wherein the axis of rotation is located a distance Y from an imaginary line which is substantially parallel to the axis of rotation, tangent to the leading edge, and located in the imaginary vertical face plane;
a sole height; and
a bounce angle between 2°and 20°, wherein:
(0.4)・sole height・cos (bounce angle) ≦ Y ≦ (2.3)・sole height・cos (bounce angle).
7. The golf club head of claim 6, wherein the bounce angle is between about 8°and about 18°.
8. The golf club head of claim 6, wherein the distance Y is between about 0.25 inches and about 1.75 inches.
9. The golf club head of claim 6, wherein the sole height is between about 0.25 inches and about 1.25 inches.
10. The golf club head of claim 6, wherein:
(0.7)・sole height・cos (bounce angle) ≦ Y ≦ (2.0)・sole height・cos (bounce angle).
11. The golf club head of claim 6, wherein:
(1.2)・sole height・cos (bounce angle) ≦ Y ≦ (1.5)・sole height・cos (bounce angle).
12. A golf club head comprising:
a heel;
a toe;
a primary component comprising:
a strike face having a front surface with a leading edge and a plurality of score  lines;
a rear surface behind the front surface; and
a hosel having a hosel centerline;
wherein, in a reference position, the golf club head is oriented relative to an  imaginary horizontal ground plane so that the hosel centerline is in an imaginary vertical hosel plane generally parallel to the leading edge of the golf club head and the hosel centerline is oriented at an actual lie angle relative to the imaginary horizontal ground plane; and
a secondary component pivotally associated with the rear surface of the primary  component, the secondary component adjustable between a first orientation and a second orientation relative to the primary component, the secondary component comprising:
an axis of rotation located in an imaginary vertical face plane which is  substantially perpendicular to the imaginary vertical hosel plane when the golf  club head is in the reference position;
wherein the axis of rotation is located a distance X from an imaginary vertical toe plane which is substantially perpendicular to the hosel plane and passes through the furthest laterally projecting toe point of the golf club head when the golf club head is in the reference position; and
with the golf club head oriented such that the strike face is substantially vertical and the score lines are substantially horizontal, a width W is characterized as the shortest distance between a first imaginary vertical plane, substantially perpendicular to the front surface of the strike face and passing through the furthest laterally projecting point of the secondary component proximate the heel, and a second imaginary vertical plane, substantially perpendicular to the front surface of the strike face and passing through the furthest laterally projecting point of the secondary component proximate the toe, with the secondary component in either the first orientation or the second orientation, wherein:
0.3W ≦ X ≦ 0.7W.
13. The golf club head of claim 12, wherein W is between about 2.5 inches and about 3.5 inches,
14. The golf club head of claim 13, wherein X is between about 1.0 inch and about 2.0 inches.
15. The golf club head of claim 14, wherein X is between about 1.25 inches and about 1.75 inches.
16. The golf club head of claim 12, wherein:
0.4W ≦ X ≦ 0.6W.
17. The golf club head of claim 12, wherein the golf club head comprises a bounce angle between about 8°and about 18°.
18. A golf club head comprising:
a heel;
a toe;
a primary component comprising:
a strike face having a front surface with a leading edge, a plurality of score lines, and a face center;
a rear surface behind the front surface; and
a hosel having a hosel centerline;
wherein, in a reference position, the golf club head is oriented relative to an imaginary horizontal ground plane so that the hosel centerline is in an imaginary vertical hosel plane generally parallel to the leading edge of the golf club head and the hosel centerline is oriented at an actual lie angle relative to the imaginary horizontal ground plane; and
a secondary component pivotally associated with the rear surface of the primary component, the secondary component an axis of rotation located in an imaginary vertical face plane which is substantially perpendicular to the imaginary vertical hosel plane when the golf club head is in the reference position, wherein:
the axis of rotation is located a distance X from an imaginary vertical toe plane which is substantially perpendicular to the hosel plane and passes through the furthest laterally projecting toe point of the golf club head when the golf club head is in the reference position; and
the face center is located a distance C from the imaginary vertical toe plane when the golf club head is in the reference position, the distance X≠the distance C.
19. The golf club head of claim 18, wherein the distance X is between about 1.0 inch and about 2.0 inches.
20. The golf club head of claim 19, wherein the distance X is between about 1.25 inches and about 1.75 inches.
21. The golf club head of claim 18, wherein the distance C is between about 1.0 inch and about 2.0 inches.
22. The golf club head of claim 21, wherein the distance C is between about 1.25 inches and about 1.75 inches.
23. The golf club head of claim 18, wherein the golf club head comprises a bounce angle between about 8°and about 18°.
24. The golf club head of claim 18, wherein the distance X is less than the distance C.
25. The golf club head of claim 18, wherein the distance X is greater than the distance C. 
26. A golf club head comprising:
a primary component comprising;
a strike face having a front surface; and
a rear surface behind the front surface;
a secondary component;
a means for joining the secondary component to the primary component; and
a means for biasing the secondary component away from the rear surface of the golf club head.
27. The golf club head of claim 26, wherein the means for joining the secondary component to the primary component comprises a dovetail joint.
28. The golf club head of claim 26, wherein the means for joining the secondary component comprises a T-joint.
29. The golf club head of claim 26, wherein the means for biasing the secondary component away from the rear surface of the golf club head comprises a fastener.
30. The golf club head of claim 29, wherein the fastener contacts the rear surface of the golf club head.
ABSTRACT
A golf club head includes a primary component and a secondary component, wherein the secondary component is rotatably or pivotally associated with the rear surface of the primary component. The secondary component is adjustable between a first orientation and a second orientation relative to the primary component such that the golf club head has a first sole contour when the secondary component is in the first orientation and a second sole contour when the secondary component is in the second orientation, the first sole contour being different from the second sole contour.
ＦＩＧ．１
2012192179.tif 000029
ＦＩＧ．２
2012192179.tif 000030
ＦＩＧ．３
2012192179.tif 000031
ＦＩＧ．４
2012192179.tif 000032
ＦＩＧ．４ａ
2012192179.tif 000033
ＦＩＧ．５
2012192179.tif 000034
ＦＩＧ．５ａ
2012192179.tif 000035
ＦＩＧ．６
2012192179.tif 000036
ＦＩＧ．７
2012192179.tif 000037
ＦＩＧ．８
2012192179.tif 000038
ＦＩＧ．９
2012192179.tif 000039
ＦＩＧ．１０
2012192179.tif 000040
ＦＩＧ．１１
2012192179.tif 000041
ＦＩＧ．１２
2012192179.tif 000042
ＦＩＧ．１３
2012192179.tif 000043
ＦＩＧ．１４
2012192179.tif 000044
ＦＩＧ．１５
2012192179.tif 000045
ＦＩＧ．１６
2012192179.tif 000046
ＦＩＧ．１７
2012192179.tif 000047
ＦＩＧ．１８
2012192179.tif 000048
ＦＩＧ．１９
2012192179.tif 000049
ＦＩＧ．２０
2012192179.tif 000050
ＦＩＧ．２１
2012192179.tif 000051
ＦＩＧ．２２
2012192179.tif 000052
ＦＩＧ．２３
2012192179.tif 000053
ＦＩＧ．２４
2012192179.tif 000054